(57)【特許請求の範囲】
【請求項１】
耐圧容器と、
その耐圧容器に収容され、可撓性を有する内袋と、
前記内袋および耐圧容器の口部を塞ぐエアゾールバルブと、
前記内袋または内袋と耐圧容器との間の一方に充填される内容物と、
他方に充填される噴射剤とからなり、
前記噴射剤が内袋を押圧することによって内袋が変形し、内容物が噴射される二重エアゾール製品であって、
前記内袋が軸方向に伸縮する蛇腹を有しており、
前記内袋が、その縮められた蛇腹からなる強度の強い強化部位を有しており、その強化部位が最後に変形するように構成されており、
前記内容物はそれぞれ色の異なる主色内容物と終色内容物とからなり、
前記終色内容物は、前記強化部位が変形することによって吐出されるように充填されている、
二重エアゾール製品。
【請求項２】
前記強化部位が内袋の下部または下端に設けられている、請求項１記載の二重エアゾール製品。
【発明の詳細な説明】
【技術分野】
【０００１】
本発明は二重エアゾール製品に関する。詳しくは、二重エアゾール製品の内容物の残量確認手段に関する。
【背景技術】
【０００２】
二重エアゾール容器は、有底筒状の耐圧容器と、その耐圧容器に収容され、可撓性を有する有底筒状の内袋と、内袋および耐圧容器の開口部を塞ぐエアゾールバルブとからなる。この二重エアゾール容器の内袋または内袋と耐圧容器との間の一方に内容物を充填し、他方に噴射剤を充填することによって二重エアゾール製品となる。このような二重エアゾール製品のバルブを開放する噴射操作を行うことにより、噴射剤が内袋を押圧して内容物が噴射される。
このような二重エアゾール製品は、内容物を噴射剤と分離して吐出することができるため、例えばトリートメント剤、染毛剤など活性が高く金属を腐食しやすい内容物、粘性の高い内容物などを充填し、様々な用途に用いられている。
【０００３】
一方、内袋を有しない通常の耐圧容器に内容物と噴射剤を充填した通常のエアゾール製品は、耐圧容器を振ると内容物が移動するため使用者は内容物の残量を感覚や音などで確認できるが、二重エアゾール製品は内容物が内袋に液密状態で充填されているため容器を振っても内容物は移動せず残量を確認するのが困難であった。
このような問題を解決するために、例えば、特許文献１の図３のように、内袋内に異なる色からなる内容物を積層させて、少なく充填された色の内容物が最後に吐出させるように構成された二重エアゾール製品が知られている。つまり、使用者は少なく充填された色の内容物が吐出されてきたら残量が少ないことを認識できる。
【先行技術文献】
【特許文献】
【０００４】
【特許文献１】実開平５−６７９号公報
【発明の概要】
【発明が解決しようとする課題】
【０００５】
しかし、二重エアゾール製品の内袋は常時噴射剤によって圧力を受けているため、内袋の変形をコントロールし、少なく充填された色の内容物を安定して最後に吐出させることは困難であった。
本発明は、内容物の残量が少なくなったことを確認できる二重エアゾール製品を提供することを目的としている。
【課題を解決するための手段】
【０００６】
本発明の二重エアゾール製品は、耐圧容器と、その耐圧容器に収容され、可撓性を有する内袋と、前記内袋および耐圧容器の口部を塞ぐエアゾールバルブと、前記内袋または内袋と耐圧容器との間の一方に充填される内容物と、他方に充填される噴射剤とからなり、前記噴射剤が内袋を押圧することによって内袋が変形し、内容物が噴射される二重エアゾール製品であって、前記内袋が軸方向に伸縮する蛇腹を有しており、前記内袋が、その縮められた蛇腹からなる強度の強い強化部位を有しており、その強化部位が最後に変形する
ように構成されており、前記内容物はそれぞれ色の異なる主色内容物と終色内容物とからなり、前記終色内容物は、前記強化部位が変形することによって吐出されるように充填されていることを特徴としている。
【０００７】
このような二重エアゾール製品であって、前記強化部位が内袋の下部または下端に設けられている。
【発明の効果】
【００１２】
本発明の二重エアゾール製品は、内容物がそれぞれ色の異なる主色内容物と終色内容物とからなり、かつ、内袋が縮められた蛇腹からなる強度の強い強化部位を有しており、その強化部位が最後に変形するように構成されており、前記終色内容物は、前記強化部位が変形することによって吐出されるように充填されているため、終色内容物が確実に最後に吐出される。これにより使用者は内容物の残量を確認できる。
このような二重エアゾール製品であって、前記強化部位が内袋の下部または下端に設けられている場合、内容物もその強化部位に応じて充填することができ、製造容易である。
【図面の簡単な説明】
【００１７】
【図１】本発明の範囲外の二重エアゾール製品であって参考例を示す断面側面図である。
【図２】図２ａは図１の二重エアゾール製品に用いられる内袋を示す断面側面図であり、図２ｂ〜ｄは図１の二重エアゾール製品に用いることができる内袋の他の実施形態を示す断面側面図である。
【図３】本発明の二重エアゾール製品の一実施形態を示す断面側面図である。
【図４】図３の内袋に内容物を充填したときの状態の断面側面図である。
【図５】本発明の範囲外の二重エアゾール製品であって参考例を示す断面側面図である。
【図６】本発明の範囲外の二重エアゾール製品であって参考例を示す断面側面図である。
【図７】図７ａは本発明の範囲外の二重エアゾール製品であって参考例を示す断面側面図であり、図７ｂ、図７ｃはその状態を示す一部拡大図である。
【図８】本発明の範囲外の二重エアゾール製品であって参考例を示す断面側面図である。
【図９】図９ａ、ｂは本発明の範囲外の二重エアゾール製品であって参考例を示す状態図である。
【図１０】図１０ａ、ｂは本発明の範囲外の二重エアゾール製品であって参考例を示す正面図、側面図であり、図１０ｃは本発明の範囲外の二重エアゾール製品であって参考例を示す正面図である。
【図１１】図１１ａ、ｂは本発明の範囲外の二重エアゾール製品であって参考例を示す断面側面図である。
【発明を実施するための形態】
【００１８】
図１の二重エアゾール製品１０は、内容物の残量がある一定となったときにそれまでとは異なる色の内容物が吐出（噴射）されるものであり、可撓性を有する内袋１１と、その内袋１１を収容する有底筒状の耐圧容器１２と、内袋１１および耐圧容器１２の開口部を塞ぐエアゾールバルブ１３（以下、バルブ）と、内袋１１に充填される内容物Ａと、内袋１１と耐圧容器１２との間に充填される噴射剤Ｂとからなる。
【００１９】
内袋１１は、図２ａに示すように、円筒状の胴部１１ａと、その下端を閉じる底部１１
ｂと、その胴部１１ａの上端に形成されたテーパー状の肩部１１ｃと、その肩部１１ｃの上端に形成された円筒状の首部１１ｄと、その首部１１ｄの上端に形成されたフランジ部１１ｅとからなる。また、胴部１１ａの下部あるいは下端の外周には、リング状の強化部材１５が固定されている。つまり、この内袋１１は、胴部１１ａの下部が強化部材１５によって補強されており、この胴部１１ａの下部が強化部位となり、二重エアゾール製品１０を操作したとき、この内袋１１の胴部１１ａの下部が最後に変形する。
また、強化部材１５は、想像線１５ａで示すように内袋の下部の内周面に固定あるいは配置されてもよい。この場合も同様に内袋１１の胴部１１ａの下部が強化部位となる。
【００２０】
図１に戻って、耐圧容器１２は、胴部１２ａ、底部１２ｂ、肩部１２ｃ、ビード部１２ｄを備えた一体成形品である。しかし、他の耐圧性を有する容器を用いても良い。
バルブ１３は、筒状のハウジング１３ａと、そのハウジング内に上下移動自在に収容されるステム１３ｂと、そのステム１３ｂを常時上向きに付勢するバネ１３ｃと、ステム１３ｂのステム孔を塞ぐステムラバー１３ｄと、ハウジング１３ａの上部を覆い耐圧容器１２に固定されるマウンティングカップ１３ｅとを備えている。ハウジング１３ａの下端に連通孔１３ｆが形成されており、ステム１３ｂを下降させてバルブ１３を開くことにより、内容物Ａは連通孔１３ｆよりハウジング１３ａ内に導入され、さらに、ステム１３ｂから吐出される。
【００２１】
内容物Ａは、粘性を有するゲルやクリーム、あるいは、吐出後に発泡する後発泡性ゲルやクリームなどであり、内容物の残量が十分にある状態で吐出される主色内容物Ａ１と、内容物の残量が少ない状態で吐出される終色内容物Ａ２とからなる。主色内容物Ａ1と終色内容物Ａ２とは、色が異なるだけで主成分（効果）は同じとなっている。そのため、使用者は吐出される内容物の色により残量を認識することができる。
この実施形態において、内容物Ａは上下２層に、終色内容物Ａ２が下に、主色内容物Ａ１が上に充填されている。さらに、終色内容物Ａ２は、内袋１１の強化部材１５によって強度が強化された胴部１１ａの下部によって囲まれた部位にのみ充填されている。この内容物Ａの主色内容物Ａ１と終色内容物Ａ２の比率は、
５０／５０〜９０／１０、好ましくは６０／４０〜８０／２０である。主色内容物Ａ１が９０％より多いと（終色内容物Ａ２が１０％よりも少ない）、使用者が色変わりを認識した時点で必要量残っていない場合があり、使用途中で使いきってしまう。主色内容物Ａ１が５０％より小さくても残量を知らせる終色内容物Ａ２の役割が薄れる。また、粘性の内容物を用いるとき、その粘度としては、５００〜１００，０００（mＰａ・ｓ）、好ましくは１，０００〜８０，０００（ｍＰａ・ｓ）である。１００，０００（mＰａ・ｓ）より大きいと主色内容物Ａ１と終色内容物Ａ２を充填するときに両者の間で空気が混入しやすくなり、使用時に飛び散る恐れがあり、５００（mＰａ・ｓ）より小さいと主色内容物Ａ１と終色内容物Ａ２とが内袋内で混合されてしまう。
このような内容物Ａとしては、染毛剤やトリートメント剤などのヘアケア剤、保湿剤、パック料、クレンジングなどのスキンケア剤などが挙げられる。
噴射剤Ｂは、液化石油ガスやジメチルエーテルなどの液化ガス、あるいは、窒素、一酸化窒素、酸素、空気などの圧縮ガスが用いられる。
【００２２】
このように構成されているため、エアゾール製品１０は、最初に主色内容物Ａ１が吐出され、主色内容物Ａ１が吐出されてから終色内容物Ａ２が吐出される。つまり、最初は内袋１１の胴部１１ａの下部以外が噴射剤によって変形し、最後に胴部１１ａの下部（強化部位）が変形する。そのため、使用者は終色内容物Ａ２が吐出されてきたら残量がわずかであることを認識することができる。
【００２３】
図２ｂ〜図２ｄの内袋１６ａ〜１６ｃは、内袋１１の代わりに用いることができるものである。
図２ｂの内袋１６ａは、内袋１１と同様に胴部１１ａ、底部１１ｂ、肩部１１ｃと、首部１１ｄ、フランジ部１１ｅを有しており、内袋１１との相違点は胴部１１ａの下部１７ａの径が胴部１１ａに比べて細い点である。
図２ｃの内袋１６ｂは、内袋１１と同様に胴部１１ａ、底部１１ｂ、肩部１１ｃと、首部１１ｄ、フランジ部１１ｅを有しており、内袋１１との相違点は胴部１１ａの下部１７ｂの肉厚が胴部１１ａに比べて厚いという点である。
図２ｄの内袋１６ｃは、内袋１１と同様に胴部１１ａ、底部１１ｂ、肩部１１ｃと、首部１１ｄ、フランジ部１１ｅを有しており、内袋１１との相違点は胴部１１ａの中央部１８（下部１７ｃを残した部位）に上下に延びる折線が形成されている点である。
図２ｂ〜ｄの内袋１６ａ〜１６ｃは、いずれも胴部の下部１７ａ〜１７ｃが胴部の他の部位より外力に対する強度が高く、強化部位として働く。そのため、いずれの内袋１６ａ〜１６ｃを噴射剤で押圧しても、胴部の下部１７以外が初めに変形して、最後に胴部の下部１７ａ〜１７ｃが変形する。これらの内袋１６ａ〜１６ｃの下部１７ａ〜１７ｃに終色内容物Ａ２を充填し、他の部位に主色内容物Ａ１を充填することにより、エアゾール製品１０と同様の効果が得られる。
【００２４】
図３のエアゾール製品２０は、内袋２１が下端に強化部位として作用する蛇腹２１ａを備えたものである。蛇腹２１ａの外径は胴部の外径よりも細くしている。また、耐圧容器１２は、胴部、底部、肩部、首部を備えており、首部の下部に環状凹部１２ｆが設けられた一体成形品である。首部１２の上端は真っ直ぐに延びている。さらに、バルブ１３は、ハウジング１３ａの上部を覆い耐圧容器を閉じる蓋体１３ｇと、その蓋体の上に設けられ耐圧容器に固定されるキャップ１３ｈとを備えたものである。他の構成は、図１のバルブと実質的に同じである。
【００２５】
このエアゾール製品２０は、蛇腹２１ａを軸方向に拡げた状態で内袋２１を耐圧容器１２に挿入し、その状態で終色内容物Ａ２、主色内容物Ａ１を順番に充填する。そのため、終色内容物Ａ２は、図４に示すように、蛇腹２１ａの上端より若干下側まで充填する。この状態でも内袋の蛇腹２１ａは拡げられた状態にあるため、内袋２１の上端２１ｂが耐圧容器１２の上端より上側に位置する。この状態でバルブ１３の蓋体１３ｇを内袋２１内に嵌入するが、内袋の上端２１ｂが耐圧容器１２の上端より上側にあるため、バルブ１３の嵌入操作が容易に行える。バルブ１３を内袋２１内に嵌入した後、蓋体１３ｇを押下げて耐圧容器１２を閉じる。このとき、図３に示すように、内袋２１の蛇腹２１ａが軸方向に縮められる。そして、縮められた蛇腹２１ａは、半径方向の押圧に対する強度が強くなるため、強化部位として作用する。なお、蛇腹の外径を胴部よりも細くしているため、強化部位はより一層強くなる。最後に、キャップ１３ｈで蓋体１３ｇを固定する。
このようにエアゾール製品２０は、製造段階においては、蛇腹２１ａが拡げられ、その製造を容易にし、製品状態では、蛇腹２１ａが縮められ強化部位として作用するものである。また、この内袋２１は、図１のようなエアゾール容器に用いることもできる。この場合も、内袋内にバルブを嵌入する操作が容易になる。
【００２６】
図５のエアゾール製品２５は、内袋２６の上部に強化部位を設けたものであり、内袋２６の上部にリング状の強化部材２７を固定したものである。また、バルブ１３のハウジング１３ａの下端には、内袋２６の底に向かって先端が延びるディップチューブ２８が設けられている。他の構成は図１のエアゾール製品１０と実質的に同じである。
この場合、主色内容物Ａ１は下に充填され、終色内容物Ａ２は上に積層して充填される。
このように構成されているため、エアゾール製品２５も最初に主色内容物Ａ１が吐出され、主色内容物Ａ１が吐出されてから終色内容物Ａ２が吐出される。つまり、最初に内袋２６の胴部が噴射剤によって変形し、最後に内袋２６の上部（強化部位）が変形する。そのため、図１のエアゾール製品と同様に、使用者は終色内容物Ａ２が吐出されてきたら残
量がわずかであることを認識することができる。
【００２７】
図６のエアゾール製品３０は、内容物Ａが内袋３１と耐圧容器３２の間に充填されており、噴射剤Ｂが内袋３１に充填されているものであり、内袋３１の下部３１ａが強化部位となっている。つまり、エアゾール製品３０は、可撓性を有する内袋３１と、その内袋３１を収容する有底筒状の耐圧容器３２と、内袋３１および耐圧容器３２の開口部を塞ぐバルブ３３と、内袋３１と耐圧容器３２との間で強化部位３１ａの部位まで充填される終色内容物Ａ２と、その他の内袋３１と耐圧容器３２との間に充填される主色内容物Ａ１と、内袋３１に充填される噴射剤Ｂとからなる。内袋３１は、図２ｃの内袋２０ｂのように下部３１ａの肉厚が他の部位に比べ厚くなっており、胴部、底部、肩部、首部とからなっている。耐圧容器３２は、胴部、底部、肩部、首部とからなるものである。
【００２８】
バルブ３３は、ハウジング３３ａと、ステム３３ｂと、ステムラバー３３ｃと、バネ３３ｄと、キャップ３３ｅとからなり、ハウジング３３ａが内袋３１と耐圧容器３２との間と連通する連通孔３４を有している。また、内袋３１と耐圧容器３２の間をシールするためにシール材３５ａと、そのシール材３５ａをキャップ３３ｅで押圧して固定するための筒状の固定部材３６とが設けられている。そして、キャップ３３ｅを耐圧容器３２の首部にカシメることによってバルブ３３は固定される。つまり、内袋３１と耐圧容器３２の上端に、シール材３５ａ、固定部材３６、ハウジング３３ａのフランジ部３７が積み重ねられ、キャップ３３ｅで押圧しながら閉じられている。さらに内袋３１とハウジング３１ａとの間にシール材３５ｂが設けられている。
【００２９】
このように構成されているため、このエアゾール製品３０も最初に主色内容物Ａ１が吐出され、主色内容物Ａ１が吐出されてから終色内容物Ａ２が吐出される。内袋３１の下部３１ａを強化する方法としては、内袋の形状に応じて図２ａ〜ｄのタイプのいずれを用いてもよい。
【００３０】
図７のエアゾール製品４０は、噴射剤Ｂとして圧縮ガスを用いたものであり、エアゾール製品４０の使用による圧力低下現象を利用して残量がわずかであることを使用者に認識させるものである。詳しくは、圧力の低下と共に吐出物の形態が変化するものである。
【００３１】
エアゾール製品４０の内袋４１は、円筒状の胴部４１ａと、その下端に設けられた縮径部４１ｂと、その下端を閉じる底部４１ｃと、胴部４１ａの上端に形成されたテーパー状の肩部４１ｄと、その肩部４１ｄの上端に形成された円筒状の首部４１ｅと、その首部４１ｅの上端に形成されたフランジ部４１ｆとからなる。また、縮径部４１ｂには、内袋４１と耐圧容器１２との間の隙間と連通する連通孔４２が形成されている。さらに、その連通孔４２を塞ぐようにして縮径部４１ｂの外周には弾性を有するリング４３が設けられている。この連通孔４２とリング４３により、噴射剤Ｂの圧力が低下したときに噴射剤Ｂの内袋４１内への侵入を許す弁を構成している。
【００３２】
このように構成されているため、噴射剤Ｂの圧力が強い間は、リング４３が連通孔４２を強く押圧し、連通孔４２をシールする（図７ｂ参照）。一方、噴射剤の圧力が弱くなってくると、リング４３による連通孔４２のシール性が弱くなり、噴射剤である圧縮ガスが内袋４１内に侵入する（図７ｃ参照）。これにより内袋内の内容物に圧縮ガスが溶解する。そのため、使用者はエアゾール製品４０を使用した際に吐出物が発泡してきたら、内容物の残量が少ないことを認識することができる。なお、吐出物の発泡を一層確実にするため、内容物に界面活性剤などの起泡剤を添加してもよい。
【００３３】
図８のエアゾール製品４５は、バルブ４６のハウジング４６ａの下端から下方に突出した突出部４７を備えており、その外周に連通孔４７ａが形成されている。また、その連通
孔４７ａを塞ぐようにリング４３が設けられたものである。他の構成は、内袋４８が強化部位を備えていないこと、内容物が１種類のみであることを除いて、図４のエアゾール製品３０と実質的に同じものである。
【００３４】
このように構成されているため、噴射剤の圧力が強い間は、リング４３が連通孔４７ａを強く押圧し、連通孔４７ａをシールし、噴射剤の圧力が弱くなってくると、リング４３による連通孔４７ａのシール性が弱くなる。そのため、噴射剤である圧縮ガスがハウジング４６ａ内に侵入し、内容物に圧縮ガスが混合され、内容物が発泡する。そのため、使用者はエアゾール製品４５を使用した際に吐出物が発泡してきたら、内容物の残量が少ないことを認識することができる。
【００３５】
次の図９ａに示すエアゾール製品５０は、吐出される内容物の変化は見られないが、内容物の残量が少なくなると内袋から部材が分離するものである。つまり、内容物の残量が少なくなった状態でエアゾール製品５０を振るとその分離した部材によって音がカラカラするものである。
エアゾール製品５０は、中央にリング状の分離部材５２が固定された内袋５１を備えている。他の構成は内容物が１種類のみであることを除いて、図１のエアゾール製品１０と実質的に同じものである。
内袋５１は、図２の内袋１１と同様に胴部、底部、肩部、首部、フランジ部を備えたものであり、胴部の中央部に環状の凹部５１ａを備えている点で図２の内袋１１と異なる。
【００３６】
このように構成されているため、内袋５１に内容物Ａが充填されている状態では凹部５１ａによって分離部材５２がしっかり保持される。一方、エアゾール製品５０を操作して内容物Ａを吐出することにより、内袋５１が変形すると環状の凹部５１ａも分離部材５２を保持できなくなり、分離部材５２が内袋５１から分離する（図９ｂ参照）。このように分離部材５２は耐圧容器１２内で遊離した状態となるため、エアゾール製品５０を振ることにより分離部材５２と耐圧容器１２とが接触して音がなる。
【００３７】
図９ａのエアゾール製品５０では、分離部材５２を凹部５１ａで保持しているが、内袋に内容物Ａが充填されている状態で分離部材５２を保持し、内袋から内容物Ａが吐出されて少なくなってから分離部材５２を遊離するように構成されていれば、内袋に環状の突条を形成したり、他の機械的な構造を形成してもよい。さらに、内袋の変形によって分離するように分離部材５２を接着剤等で内袋に固定してもよい。
さらに、例えば、図４あるいは図８のように内袋が膨らんでいく二重エアゾール製品では、内袋の外周にリング状の分離部材を設け、内袋が膨らむことにより分離部材が割れて、分離部材が内袋から分離するようにしてもよい。
【００３８】
図１０ａ、ｂのエアゾール製品６０は、複数の吐出孔６２を有する櫛型の噴射部材６１を備えており、かつ、噴射剤として圧縮ガスを用いている。耐圧容器、バルブ、内袋からなるエアゾール容器６５は従来公知の二重エアゾール容器が用いられる。
噴射部材６１は、バルブのステム１３ｂと係合する円筒状の係合部６３と、その係合部の上端に設けられ、吐出孔６２が形成された矩形状の櫛部６４とからなり、ステム１３ｂと吐出孔６２を連通する噴射部材内通路６１ａが形成されている。なお、係合部６３が内容物の導入孔となる。
係合部６３は、下端にステム１３ｂを挿入する部位であり、中心に係合部内通路６３ａが形成されている。
【００３９】
櫛部６４は、表面の上下中央に並べられた複数の吐出孔６２ａ〜６２ｇと、その吐出孔の両側に上下に並べられた複数の枝６６とが形成されている。また櫛部６４には、係合部６３とそれぞれの吐出孔６２とを連通する櫛部内通路６４ａが形成されている。この櫛部
内通路６４ａおよび係合部６３の係合部内通路６３ａが噴射部材内通路６１ａを構成する。
それぞれの吐出孔６２ａ〜６２ｇは、櫛部内通路６４ａに等間隔で形成されている。つまり、それぞれの吐出孔６２ａ〜６２ｇと導入孔（係合部６３）との距離（抵抗値）は異なる。そのため、導入孔（係合部６３）から内容物を導入して吐出孔６２ａ〜６２ｇから内容物を吐出させるとき、内容物をそれぞれの吐出孔６２ａ〜６２ｇから吐出させるために必要な力が異なる。
【００４０】
このように構成されているため、噴射剤（圧縮ガス）の圧力がある一定の値より大きいと内容物Ａはすべての吐出孔６２ａ〜６２ｇの全てから吐出されるが、その圧力が一定値を下回ると内容物Ａが吐出される吐出孔６２の数が減少する。つまり、エアゾール製品６０を使用することによって噴射剤（圧縮ガス）の圧力が低下すると、内容物を吐出する吐出孔６２の数が減少する。本実施形態の図１０ａでは、上の吐出孔６２ａから順番に吐出されなくなり、図１０ｃでは両端の吐出孔６２ａから順番に吐出されなくなる。そのため、エアゾール製品６０の内容物の残量を確認することができる。例えば、図１０ａのように櫛部６４の表面を三色（Ｇ（緑）、Ｙ（黄）、Ｒ（赤））に分けることによってその残量が一層わかるようにしてもよい。
また、この図１０ａの実施形態では、導入孔から吐出孔までの距離によってそれぞれの吐出孔から内容物Ａを吐出させるための抵抗値を変えたが、図１０ｃに示すように、吐出孔６２ａ〜６２ｃの孔径を変えてその抵抗値を変えても良い。さらには、通路の径を変えたり、その通路上に抵抗体を設けたりしてもよい。
【００４１】
図１１のエアゾール製品７０は、噴射部材７１に圧力センサ７２およびその値を表示する表示部７３を設けたものである。このものも噴射剤として圧縮ガスを用いている。
噴射部材７１は、柱状の基部７４と、その側面から外方に突出したノズル７５とからなる。
【００４２】
基部７４は、下端に設けられたステム係合部７４ａと、側面に設けられたノズル係合部７４ｂと、それらを繋ぐ基部内通路７４ｃとを備えている。基部内通路７４ｃは、ステム係合部７４ａから上に延び、ノズル係合部７４ｂ近辺で略垂直（水平方向）に折れ曲がったものである。そのため、上方に流れる内容物を受ける屈曲した天部７４ｄに圧力センサ７２が取り付けられている。さらに、基部７４の上面には、圧力センサ７２の値によって色が変化して表示するように構成されたランプからなる表示部７３が設けられている。
【００４３】
ノズル７５は、円筒状のものであり、基部がノズル係合部７４ｂに挿入され、先端にノズルチップ７６が取り付けられている。
このように構成されているため、噴射部材７１を流れる内容物Ａが圧力センサ７２にぶつかり、その圧力値に基づいて表示部７３の色が変化する。この実施の形態では、内容物の減少に伴う圧力降下を利用して表示部７３の色等によって内容物の残量を確認することができる。ここでは圧力センサを用いたが、内容物の流速を測る流速センサを用いても良い。
【符号の説明】
【００４４】
Ａ  内容物
Ａ１  主色内容物
Ａ２  終色内容物
Ｂ  噴射剤
１０  二重エアゾール製品
１１  内袋
１１ａ  胴部
１１ｂ  底部
１１ｃ  肩部
１１ｄ  首部
１１ｅ  フランジ部
１２  耐圧容器
１２ａ  胴部
１２ｂ  底部
１２ｃ  肩部
１２ｄ  ビード部
１３  エアゾールバルブ（バルブ）
１３ａ  ハウジング
１３ｂ  ステム
１３ｃ  バネ
１３ｄ  ステムラバー
１３ｅ  マウンティングカップ
１３ｆ  連通孔
１３ｇ  蓋体
１３ｈ  キャップ
１５  強化部材
１５ａ  想像線
１６ａ、１６ｂ、１６ｃ  内袋
１７ａ、１７ｂ、１７ｃ  胴部の下部
１８  中央部
２０  エアゾール製品
２１  内袋
２１ａ  蛇腹
２１ｂ  上端
２５  エアゾール製品
２６  内袋
２７  強化部材
２８  ディップチューブ
３０  エアゾール製品
３１  内袋
３１ａ  下部
３２  耐圧容器
３３  バルブ
３３ａ  ハウジング
３３ｂ  ステム
３３ｃ  ステムラバー
３３ｄ  バネ
３３ｅ  キャップ
３４  連通孔
３５  シール材
３６  固定部材
３７  フランジ部
４０  エアゾール製品
４１  内袋
４１ａ  胴部
４１ｂ  縮径部
４１ｃ  底部
４１ｄ  肩部
４１ｅ  首部
４１ｆ  フランジ部
４２  連通孔
４３  リング
４５  エアゾール製品
４６  バルブ
４６ａ  ハウジング
４７  突出部
４７ａ  連通孔
４８  内袋
５０  エアゾール製品
５１  内袋
５１ａ  環状凹部
５２  分離部材
６０  エアゾール製品
６１  噴射部材
６１ａ  噴射部材内通路
６２、６２ａ〜６２ｇ  吐出孔
６３  係合部
６３ａ  係合部内通路
６４  櫛部
６４ａ  櫛部内通路
６５  エアゾール容器
６６  枝
７０  エアゾール製品
７１  噴射部材
７２  圧力センサ
７３  表示部
７４  基部
７４ａ  ステム係合部
７４ｂ  ノズル係合部
７４ｃ  基部内通路
７４ｄ  天部
７５  ノズル
７６  ノズルチップ
【図１】
0005603668.tif 000002
【図２】
0005603668.tif 000003
【図３】
0005603668.tif 000004
【図４】
0005603668.tif 000005
【図５】
0005603668.tif 000006
【図６】
0005603668.tif 000007
【図７】
0005603668.tif 000008
【図８】
0005603668.tif 000009
【図９】
0005603668.tif 000010
【図１０】
0005603668.tif 000011
【図１１】
0005603668.tif 000012